(57)【要約】  【課題】  複数の原稿を読み取って用紙に出力する前に出力予定の画像を表示し、表示された画像を変更することで出力画像の順番を変更できる画像形成装置を提供する。  【解決手段】  画像形成装置８０に、原稿の画像を読み取る読取部１と、画像を表示する操作表示部３の表示部と、画像を用紙に印刷する印刷部２と、表示部で読み取り順に表示された複数の画像の表示位置を変更するよう指示する操作表示部３の確認キーや入替キーと、確認キーや入替キーの変更指示により表示部に画像の表示位置を変更表示させ、かつ印刷部２に変更表示に応じて複数の画像を印刷させるよう制御する制御部５、画像処理部７等と、を備え、画像を読み取って用紙に出力する前に、ユーザに表示部の表示画像を目視確認させ、適宜変更指示させる。【選択図】  図１
2005210443.tif 000002
【特許請求の範囲】
【請求項１】
画像を読み取る読取手段と、画像を表示する表示手段と、画像を用紙に印刷する印刷手段と、表示手段で読み取り順に表示された複数の画像の一部又は全部の表示位置を変更するよう指示する変更指示手段と、変更指示手段の変更指示により表示手段に画像の表示位置を変更表示させ、かつ印刷手段に変更表示に応じて複数の画像を印刷させるよう制御する制御手段と、を備えたことを特徴とする画像形成装置。
【請求項２】
請求項１に記載の画像形成装置において、
変更指示手段が、複数の画像の一部又は全部を回転させるよう指示し、制御手段が、変更指示手段の変更指示により表示手段に画像の一部又は全部を回転表示させ、かつ印刷手段に回転表示に応じて複数の画像を印刷させるようにしたことを特徴とする画像形成装置。
【請求項３】
請求項１又は請求項２に記載の画像形成装置において、
制御手段が、読取手段で読み取られた画像を縮小し、複数の画像を集約して１枚の用紙に印刷させるようにしたことを特徴とする画像形成装置。
【請求項４】
請求項３に記載の画像形成装置において、
変更指示手段が、複数の画像の集約順番、向きのいずれか又は双方を変更するよう指示し、制御手段が、変更指示手段の変更指示により表示手段に複数の画像の集約順番、向きのいずれか又は双方を変更表示させ、かつ印刷手段に変更表示に応じて複数の画像を集約して１枚の用紙に印刷させるようにしたことを特徴とする画像形成装置。
【発明の詳細な説明】
【技術分野】
【０００１】
本発明は、読み取った画像を表示する機能を有する画像形成装置に関するものである。
【背景技術】
【０００２】
従来の画像形成装置は、穴あけ位置又はステープル位置を設定するための操作ユニットと、原稿の画像を読み取る画像読み取りユニットと、画像データと穴あけ位置又はステープル位置に関するデータとを合成する画像処理ユニットと、画像処理ユニットで合成された合成データを画面表示する表示ユニットと、を備え、穴あけ位置又はステープル位置と原稿画像とが重なる場合には、これを回避するために、操作ユニットにおけるキー操作で画像処理ユニットが原稿画像を移動、縮小するようにしている（例えば、特許文献１参照）。
【特許文献１】特開平９−２１８６１７号公報（第６頁左欄中段〜第８頁右欄上段、第１３図、第１６図、第１８図、第２３図等）
【発明の開示】
【発明が解決しようとする課題】
【０００３】
しかしながら、特許文献１に記載の従来の画像形成装置においては、例えば、自動原稿搬送装置を用い、複数の原稿を連続読み取りして出力するとき、ユーザは、出力された用紙を目視して出力順が正しいか否かを認識することになる。よって、自動原稿搬送装置に原稿を載置するときの順番が間違っていた場合には、ユーザは出力された用紙を手作業で正しい順番に直す必要がある。特許文献１には、画像を用紙に出力する前にユーザが出力順を認識できるようにした構成について、記載及び示唆がない。
【０００４】
本発明は、従来の問題を解決するためになされたもので、複数の原稿を読み取って用紙に出力する前に出力予定の画像を表示し、表示された画像を変更することで出力画像の順番を変更できる画像形成装置を提供することを目的とする。
【課題を解決するための手段】
【０００５】
請求項１に係る本発明の画像形成装置は、画像を読み取る読取手段と、画像を表示する表示手段と、画像を用紙に印刷する印刷手段と、表示手段で読み取り順に表示された複数の画像の一部又は全部の表示位置を変更するよう指示する変更指示手段と、変更指示手段の変更指示により表示手段に画像の表示位置を変更表示させ、かつ印刷手段に変更表示に応じて複数の画像を印刷させるよう制御する制御手段と、を備えた構成を有している。
【０００６】
また、請求項２に係る本発明の画像形成装置は、請求項１において、変更指示手段が、複数の画像の一部又は全部を回転させるよう指示し、制御手段が、変更指示手段の変更指示により表示手段に画像の一部又は全部を回転表示させ、かつ印刷手段に回転表示に応じて複数の画像を印刷させるようにした構成を有している。
【０００７】
また、請求項３に係る本発明の画像形成装置は、請求項１又は請求項２において、制御手段が、読取手段で読み取られた画像を縮小し、複数の画像を集約して１枚の用紙に印刷させるようにした構成を有している。
【０００８】
さらに、請求項４に係る本発明の画像形成装置は、請求項３において、変更指示手段が、複数の画像の集約順番、向きのいずれか又は双方を変更するよう指示し、制御手段が、変更指示手段の変更指示により表示手段に複数の画像の集約順番、向きのいずれか又は双方を変更表示させ、かつ印刷手段に変更表示に応じて複数の画像を集約して１枚の用紙に印刷させるようにした構成を有している。
【発明の効果】
【０００９】
本発明は、表示手段で読み取り順に表示された複数の画像の一部又は全部の表示位置を変更するよう指示する変更指示手段と、変更指示手段の変更指示により表示手段に画像の表示位置を変更表示させ、かつ印刷手段に変更表示に応じて複数の画像を印刷させるよう制御する制御手段と、を設けることにより、画像を読み取って用紙に出力する前に、表示画像の変更によって出力順番を変更できるという効果を有する画像形成装置を提供することができる。
【発明を実施するための最良の形態】
【００１０】
以下、本発明の実施形態に係る画像形成装置について、図面を用いて説明する。
【００１１】
［第１の実施形態］
本発明の第１の実施形態に係る画像形成装置を図１、図２、図３に示す。
【００１２】
図１において、画像形成装置８０は、図示しないコンタクトガラス上の読取位置で図示しない原稿の画像を読み取る読取部１と、読取部１で読み取られた画像を用紙に印刷する印刷部２と、複写モード等の操作モードや操作情報を入力して設定するための操作表示部３と、読取部１で読み取られた原稿の画像データを蓄積する画像蓄積部４と、装置全体の動作を制御し、操作表示部３で設定された操作モードにより所定の制御プログラムを実行するＣＰＵ等の制御部５と、ＲＡＭ、ＲＯＭ等で構成された記憶部６と、読取部１からの画像信号又は画像蓄積部４に蓄積された画像データに対して所定の画像処理を施し、印刷部２に出力するＣＰＵ等の画像処理部７と、を有するディジタル複写機として構成されている。なお、各部１〜７は、システムバス８に接続されている。
【００１３】
ここで、読取部１は、原稿を光源により照射しながら走査し、ＣＣＤからなるラインセンサにて原稿からの反射光を読み取り、読み取り信号に対してアナログ／ディジタル処理、ライン間補正処理等を施し、処理後の画像信号（画像データに相当する）を制御部５又は画像処理部７へ送るようにしている。なお、読取部１の図示しないコンタクトガラス上には、自動原稿搬送部１１（図２に示す）が装着されていて、原稿載置台１１ａ上に重ねて載置された複数の原稿をコンタクトガラス上の読取位置へ連続して搬送するようにしている。
【００１４】
また、制御部５は、操作表示部３の確認キー４１（図３に示す）が押下された場合、読取部１からの画像データを画像蓄積部４に蓄積させると共に、その画像データにより操作表示部３に画像を表示させるものである。
【００１５】
また、画像処理部７は、読取部１からの画像データに対してγ補正、色変換、主走査変倍、画像分離、加工、エリア処理、階調補正処理等の画像処理を施し、処理後の画像データを操作表示部３又は印刷部２に送るものである。また、画像処理部７は、操作表示部３からのキー入力により、操作表示部３に表示中の画像に対して位置の入替及び後述する回転、縦横入替、順番変更等の処理を施して操作表示部３へ送るものである。さらに、画像処理部７は、画像蓄積部４に蓄積された画像データに対して、操作表示部３で表示変更されたときの位置の入替及び後述する回転、縦横入替、順番変更等に相当する処理を施し、処理後の画像データを印刷部２へ送るものである。
【００１６】
また、記憶部６は、制御部５の制御プログラムを記憶するとともに、この制御プログラムが制御部５によって実行されるときにー時的に作成される情報等を保持するものである。
【００１７】
図２において、画像形成装置８０の機構部は、少なくとも、画像処理部７からの画像データに応じてレーザダイオードを駆動する書き込みユニット２２と、一様に帯電された感光体ドラム２１ａに書き込みユニット２２からのレザービームにより潜像を形成するドラムユニット２１と、感光体ドラム２１ａの潜像にトナーを付着させて顕像化する現像部２６と、感光体ドラム２１ａ上の画像を中間転写ベルト２３ａに転写させる中間転写部２３と、中間転写ベルト２３ａの駆動タイミングに合わせて紙転写位置に用紙を供給する給紙部２５と、加圧ローラ及び定着ローラにより転写画像を用紙に熱定着させる定着部２４と、を有する構成である。なお、フルカラー複写モードの場合、中間転写ベルト２３ａ上にはブラック、シアン、マゼンダ、イエローの４色のトナーが順次重ねられるために、４色による作像、転写工程が終了したとき、給紙部２５によって用紙が紙転写位置に給紙されるようにしている。
【００１８】
図３において、操作表示部３は、少なくとも、数値入力を行うときに用いるテンキー３１と、設定した操作モードを取り消して初期設定に戻すとき、又は所定時間以上の連続押下で予熱状態に設定するときに用いるモードクリア／予熱キー３２と、印刷中に割り込み、別の印刷を行うときに用いる割り込みキー３３と、画質の調整に用いる画質調整キー３４と、操作モードの登録や呼び出しに用いるプログラムキー３５と、複写の開始を指示するときに用いる印刷スタートキー３６と、入力した数値を消去するとき、又は複写を中断するときに用いるクリア／ストップキー３７と、表示部４３上でエリア加工、編集等を行うときに用いるエリア加工キー３８と、表示部４３上に表示された各種のキーと同一範囲にキーエリアが設定されているタッチパネルキー４０と、表示部４３上で複数の読み取り画像の順番や向きを確認するに用いる確認キー４１と、液晶表示器（ＬＣＤ）等からなる表示部４３と、を有する構成である。なお、各キーがユーザ操作により押下されたとき、押下情報は制御部５へ送られるようにしている。
【００１９】
ここで、表示部４３の表示例（初期画面）を図４に示す。
【００２０】
図４において、表示部４３上には、モード選択用の表示（カラーモード、自動濃度、マニュアル濃度、画質モード、自動用紙選択、用紙トレイ、用紙自動変倍、等倍、ソート、スタック等の表示）及びサブ画面選択用の表示（クリエイト、カラー加工、移動／ブック加工、変倍等の表示）がなされている。また、これらの表示と同様の大きさのキーが、タッチパネルキー４０としてタッチパネル上に設けられている。
【００２１】
さらに、表示部４３の他の表示例（確認画面）を図５に示す。
【００２２】
図５（ａ）に示す画面は、複数の原稿の読み取り後に確認キー４１が押下されたとき、表示部４３に当該画像４３１〜４３４を読み取り順に表示したものである。このとき、画像４３１〜４３４と共に、画像の順番を入れ替えるための入替キー４３５が表示される。一方、タッチパネル上で、入替キー４３５の表示位置には、これと同様の大きさのキーが、タッチパネルキー４０として設けられている。図５（ｂ）に示す画面は、（ａ）に示す画面上で、ユーザが入替キー４３５を操作することにより、画像４３２と画像４３３の順番を入れ替えたものである。なお、本実施形態では、入れ替え対象の画像を選択する必要があるために、画像の表示位置に同じ大きさのキー（タッチパネルキー４０）を設け、このキーにユーザが接触することで入れ替え対象の画像を指示する。あるいは、入れ替え対象の画像を指示するためのポインティングデバイスを設け、このポインティングデバイスの操作で入れ替え対象の画像を指示するようにしてもよい。
【００２３】
以上のように構成された画像形成装置８０について、図６を用いてその動作を説明する。
【００２４】
まず、制御部５は、操作表示部３の表示部４３に初期画面（図４に示す）を表示させる（Ｓ１０１）。ここで、ユーザ操作又は予め記憶された内容により操作モード、濃度、原稿種類等が設定される。
【００２５】
次いで、制御部５は、原稿載置台１１ａの所定位置に原稿が積載された状態で、スタートキー３６が押下されたか否か判断する（Ｓ１０２）。この判断が「ＹＥＳ」の場合はＳ１０３に移り、「ＮＯ」の場合にはＳ１０４に移る。
【００２６】
Ｓ１０３では、自動原稿搬送部１１によって原稿を順次読み取り位置に搬送させ、読取部１のラインセンサを駆動して原稿を読み取らせる。
【００２７】
一方、Ｓ１０４では、原稿載置台１１ａの所定位置に原稿が積載された状態で、確認キー４１が押下されたか否か判断する。この判断が「ＹＥＳ」の場合はＳ１０５に移り、「ＮＯ」の場合にはＳ１０１に移る。
【００２８】
Ｓ１０５では、自動原稿搬送部１１によって原稿を順次読み取り位置に搬送させ、読取部１のラインセンサを駆動して原稿を読み取らせ、取得された画像データを画像処理部７によって画像表示に適するように画像処理させ、その画像を読み取り順に表示部４３に表示させる。例えば、図５（ａ）のように画像４３１〜４３４を読み取り順に表示させる。なお、読み取られた原稿の画像データは、画像蓄積部４に蓄積させる。
【００２９】
次いで、制御部５は、入替キー４３５に相当するタッチパネルキー４０が押下され、さらに入替対象の二つの画像が選択されたか否か判断する（Ｓ１０６）。この判断が「ＹＥＳ」の場合はＳ１０７に移り、「ＮＯ」の場合にはＳ１０８に移る。
【００３０】
Ｓ１０７では、表示部４３の画面上で、Ｓ１０６で選択された二つの画像を入れ替えて表示させる。例えば、図５（ａ）の表示から、画像４３２と画像４３３の表示位置を入れ替え、図５（ｂ）のように表示させる。このとき、画像処理部７は、上記二つの画像の表示位置を入れ替え、入れ替え処理後の画像データを表示部４３へ送る。
【００３１】
次いで、制御部５は、スタートキー３６が押下されたか否か判断する（Ｓ１０８）。この判断が「ＹＥＳ」の場合はＳ１０９に移り、「ＮＯ」の場合にはＳ１０６に移る。
【００３２】
Ｓ１０９では、画像処理部７に、画像蓄積部４に蓄積された画像データの順番をＳ１０７で表示変更したときと同様に入れ替えさせ、入れ替え後の順番で当該画像データを印刷部２に送らせる。
【００３３】
最後に、制御部５は、印刷部２に、送られた画像データにより用紙に画像を印刷させる（Ｓ１１０）。例えば、図５（ｂ）示す順番で画像４３１〜４３４が印刷される。
【００３４】
このような本発明の第１の実施形態に係る画像形成装置８０によれば、原稿の画像を読み取る読取部１と、画像を表示する操作表示部３の表示部４３と、画像を用紙に印刷する印刷部２と、表示部４３で読み取り順に表示された複数の画像４３１〜４３４の表示位置を変更するよう指示する操作表示部３の確認キー４１や入替キー４３５と、確認キー４１や入替キー４３５の変更指示により表示部４３に画像の表示位置を変更表示させ、かつ印刷部２に変更表示に応じて複数の画像を印刷させるよう制御する制御部５、記憶部６、画像処理部７、等と、を設けることにより、画像を読み取って用紙に出力する前に、ユーザは表示部４３の画像表示を目視確認し、原稿セット時にセット順が間違っていた場合でも、キー操作によって印刷順番を適宜修正することができる。よって、ユーザが手作業で印刷用紙の順番を修正する手間が省ける。
【００３５】
なお、上述した実施形態では４枚の原稿の画像を読み取り、印刷する場合について説明したが、本発明はこれに限らず、３枚以下あるいは５枚以上の原稿の画像を読み取り、印刷するようにしても同様の効果が得られるものである。
【００３６】
［第２の実施形態］
次に、本発明の第２の実施形態に係る表示部の表示例を図７、図８に示す。なお、本実施形態に係る画像形成装置は、表示部４３を除き、第１の実施形態と概ね同様の構成を有しているために、同一構成には同一符号を付与して説明を一部省略する。
【００３７】
図７（ａ）に示す画面は、複数の原稿の読み取り後に確認キー４１が押下されたとき、表示部４３に当該画像４３１〜４３４を読み取り順に表示したものである。このとき、画像４３１〜４３４と共に、画像の順番を入れ替えるための入替キー４３５と、画像を１８０度回転させて位相をずらすための回転キー４３６とが表示される。一方、タッチパネル上で、入替キー４３５及び回転キー４３６の表示位置には、これと同様の大きさのキーが、タッチパネルキー４０として設けられている。図７（ｂ）に示す画面は、図７（ａ）に示す画面上で、ユーザが回転キー４３６を操作することにより、画像４３３の位相を１８０度ずらすようにしたものである。なお、本実施形態では、入れ替え対象の画像、回転対象の画像を選択する必要があるために、画像の表示位置に同じ大きさのキー（タッチパネルキー４０）を設け、このキーにユーザが接触することで入れ替え対象、回転対象を指示するようにしている。あるいは、入れ替え対象の画像、回転対象の画像を指示するためのポインティングデバイスを設け、このポインティングデバイスの操作で入れ替え対象、回転対象を指示するようにしてもよい。
【００３８】
図８（ａ）に示す画面は、複数の原稿の読み取り後に確認キー４１が押下されたとき、表示部４３に当該画像４３１〜４３４を予め設定された位置に集約して表示したものである。なお、本実施形態では、図７に示す読み取り順の表示機能の他に、予め設定された位置に集約表示する機能を有している。図８（ｂ）に示す画面は、図８（ａ）に示す画面上で、ユーザが入替キー４３５を操作することにより、画像４３２と画像４３３の位置を入れ替えたものである。
【００３９】
以上のように構成された画像形成装置８０について、図８を用いてその動作を説明する。
【００４０】
まず、制御部５は、操作表示部３の表示部４３に初期画面（図４に示す）を表示させる（Ｓ２０１）。ここで、ユーザ操作又は予め記憶された内容により操作モード等が設定される。
【００４１】
次いで、制御部５は、原稿載置台１１ａの所定位置に原稿が積載された状態で、スタートキー３６が押下されたか否か判断する（Ｓ２０２）。この判断が「ＹＥＳ」の場合はＳ２０３に移り、「ＮＯ」の場合にはＳ２０４に移る。
【００４２】
Ｓ２０３では、自動原稿搬送部１１によって原稿を順次読み取り位置に搬送させ、読取部１のラインセンサを駆動して原稿を読み取らせる。
【００４３】
一方、Ｓ２０４では、原稿載置台１１ａの所定位置に原稿が積載された状態で、確認キー４１が押下されたか否か判断する。この判断が「ＹＥＳ」の場合はＳ２０５に移り、「ＮＯ」の場合にはＳ２０１に移る。
【００４４】
Ｓ２０５では、自動原稿搬送部１１によって原稿を順次読み取り位置に搬送させ、読取部１のラインセンサを駆動して原稿を読み取らせ、取得された画像データを画像処理部７によって画像表示に適するように画像処理させ、その画像を読み取り順に表示部４３に表示させる。例えば、図７（ａ）のように画像４３１〜４３４を読み取り順に表示させるか、あるいは図８（ａ）のように画像４３１〜４３４を予め設定された位置に一つの画像として集約表示させる。ここで読み取られた原稿の画像データは、画像蓄積部４に蓄積させる。
【００４５】
次いで、制御部５は、入替キー４３５に相当するタッチパネルキー４０が押下され、さらに入替対象の二つの画像が選択されたか否か判断する（Ｓ２０６）。この判断が「ＹＥＳ」の場合はＳ２０７に移り、「ＮＯ」の場合にはＳ２０８に移る。
【００４６】
Ｓ２０７では、表示部４３の画面上で、Ｓ２０６で選択された二つの画像を入れ替えて表示させる。例えば、図８（ａ）の表示から、画像４３２と画像４３３の表示位置を入れ替え、図８（ｂ）のように表示させる。このとき、画像処理部７は、上記二つの画像の位置を入れ替え、入れ替え処理後の画像データを表示部４３へ送る。
【００４７】
Ｓ２０８では、回転キー４３６に相当するタッチパネルキー４０が押下され、さらに回転対象の画像が選択されたか否か判断する。この判断が「ＹＥＳ」の場合はＳ２０９に移り、「ＮＯ」の場合にはＳ２１０に移る。
【００４８】
Ｓ２０９では、表示部４３の画面上で、Ｓ２０８で選択された画像を１８０度回転させて表示させる。例えば、図７（ａ）の表示から、画像４３３の位置を１８０度回転させ、図７（ｂ）のように表示させる。このとき、画像処理部７は、画像４３３を１８０度回転させて位相をずらし、回転処理後の画像データを表示部４３へ送る。
【００４９】
Ｓ２１０では、スタートキー３６が押下されたか否か判断する。この判断が「ＹＥＳ」の場合はＳ２１１に移り、「ＮＯ」の場合にはＳ２０６に移る。
【００５０】
Ｓ２１１では、画像処理部７に、画像蓄積部４に蓄積された画像データの表示位置をＳ２０７又はＳ２０９で表示変更したときと同様に更新させ、更新後の画像データを印刷部２に送らせる。
【００５１】
最後に、制御部５は、印刷部２に、送られた画像データにより用紙に画像を印刷させる（Ｓ２１２）。例えば、図７（ｂ）、図８（ｂ）に示すように画像４３１〜４３４が印刷される。
【００５２】
このような本発明の第２の実施形態に係る画像形成装置８０によれば、回転キー４３６のユーザ操作によって、複数の画像４３３を回転させるよう指示し、制御部５、記憶部６、画像処理部７、等が、回転キー４３６への接触により表示部４３に表示中の画像４３３を回転表示させ、かつ印刷部２に表示部４３の回転表示に応じて複数の画像４３１〜４３４を印刷させることにより、原稿セット時に一部のセット方向が間違っていた場合でも、キー操作によって印刷方向を適宜修正できるという効果も得られる。特に、集約機能を用いて印刷する場合は、用紙を無駄にすることを回避できるという効果も得られる。これは、請求項２に係る発明の実施の一形態である。
【００５３】
なお、上述した実施形態では４枚の原稿の画像を読み取り、読み取り順又は１枚の用紙に集約して印刷する場合について説明したが、本発明はこれに限らず、３枚以下あるいは５枚以上の原稿の画像を読み取り、読み取り順又は１枚の用紙に集約して印刷するようにしても同様の効果が得られるものである。
【００５４】
［第３の実施形態］
次に、本発明の第３の実施形態に係る表示部の表示例を図１０、図１１に示す。なお、本実施形態に係る画像形成装置は、表示部４３を除き、第１の実施形態と概ね同様の構成を有しているために、同一構成には同一符号を付与して説明を一部省略する。
【００５５】
図１０（ａ）に示す画面は、複数の原稿の読み取り後に確認キー４１が押下されたとき、表示部４３に当該画像４３１〜４３４を予め設定された位置に集約して表示したものである。なお、本実施形態では、前述した読み取り順の表示機能の他に、予め設定された位置に集約表示する機能を有している。このとき、画像４３１〜４３４と共に、画像の順番を入れ替えるための入替キー４３５と、画像を１８０度回転させて位相をずらすための回転キー４３６と、各画像の縦横の位置を入れ替えるための縦横入替キー４３７と、が表示される。一方、タッチパネル上で、入替キー４３５、回転キー４３６、縦横入替キー４３７の表示位置には、これと同様の大きさのキーが、タッチパネルキー４０として設けられている。図１０（ｂ）に示す画面は、図１０（ａ）に示す画面上で、ユーザが縦横入替キー４３７を操作することにより、画像４３１〜４３４の縦横の位置を入れ替えたものである。ここでは、横書き原稿を原稿載置台１１ａに縦にセットした状態で読み取られた、画像４３１〜４３４の縦横の位置を入れ替えた場合を示している。この縦横入替機能により、入替キー４３５の操作と画像選択を複数回繰り返す操作に比べて容易に、横書き原稿に合った集約順番とすることができる。
【００５６】
図１１（ａ）に示す画面は、複数の原稿の読み取り後に確認キー４１が押下されたとき、表示部４３に当該画像４３１〜４３４を予め設定された位置に集約して表示したものである。これに対し、図１１（ｂ）に示す画面は、図１１（ａ）に示す画面上で、ユーザが縦横入替キー４３７を操作することにより、画像４３１〜４３４の縦横の位置を入れ替えたものである。ここでは、原稿載置台１１ａに縦書き原稿を横にセットした状態で読み取られた、画像４３１〜４３４の縦横の位置を入れ替えた場合を示している。
【００５７】
以上のように構成された画像形成装置８０について、図１２を用いてその動作を説明する。
【００５８】
まず、制御部５は、操作表示部３の表示部４３に初期画面（図４に示す）を表示させる（Ｓ３０１）。ここで、ユーザ操作又は予め記憶された内容により操作モード等が設定される。
【００５９】
次いで、制御部５は、原稿載置台１１ａの所定位置に原稿が積載された状態で、スタートキー３６が押下されたか否か判断する（Ｓ３０２）。この判断が「ＹＥＳ」の場合はＳ３０３に移り、「ＮＯ」の場合にはＳ３０４に移る。
【００６０】
Ｓ３０３では、自動原稿搬送部１１によって原稿を順次読み取り位置に搬送させ、読取部１のラインセンサを駆動して原稿を読み取らせる。
【００６１】
一方、Ｓ３０４では、原稿載置台１１ａの所定位置に原稿が積載された状態で、確認キー４１が押下されたか否か判断する。この判断が「ＹＥＳ」の場合はＳ３０５に移り、「ＮＯ」の場合にはＳ３０１に移る。
【００６２】
Ｓ３０５では、自動原稿搬送部１１によって原稿を順次読み取り位置に搬送させ、読取部１のラインセンサを駆動して原稿を読み取らせ、取得された画像データを画像処理部７によって画像処理に適するように画像処理させ、複数の原稿の画像を予め設定された集約順番で表示部４３に表示させる。あるいは、読み取り順に表示させる。ここでは、集約表示させる場合を示す。例えば、図１０（ａ）、図１１（ａ）のように画像４３１〜４３４を予め設定された位置に一つの画像として集約表示させる。ここで、読み取られた原稿の画像データは、画像蓄積部４に蓄積させる。
【００６３】
次いで、制御部５は、入替キー４３５に相当するタッチパネルキー４０が押下され、さらに入替対象の二つの画像が選択されたか否か判断する（Ｓ３０６）。この判断が「ＹＥＳ」の場合はＳ３０７に移り、「ＮＯ」の場合にはＳ３０８に移る。
【００６４】
Ｓ３０７では、表示部４３の画面上で、Ｓ３０６で選択された二つの画像を入れ替えて表示させる。このとき、画像処理部７は、上記二つの画像の位置を入れ替え、入れ替え処理後の画像データを表示部４３へ送る。
【００６５】
Ｓ３０８では、回転キー４３６に相当するタッチパネルキー４０が押下され、さらに回転対象の画像が選択されたか否か判断する。この判断が「ＹＥＳ」の場合はＳ３０９に移り、「ＮＯ」の場合にはＳ３１０に移る。
【００６６】
Ｓ３０９では、表示部４３の画面上で、Ｓ３０８で選択された画像を１８０度回転させて表示させる。このとき、画像処理部７は、Ｓ３０８で選択された画像を１８０度回転させて位相をずらし、回転処理後の画像データを表示部４３へ送る。
【００６７】
Ｓ３１０では、縦横入替キー４３７に相当するタッチパネルキー４０が押下されたか否か判断する。この判断が「ＹＥＳ」の場合はＳ３１１に移り、「ＮＯ」の場合にはＳ３１２に移る。
【００６８】
Ｓ３１１では、表示部４３の画面上で、画像４３１〜４３４の縦横を入れ替えて表示させる。例えば、例えば、図１０（ａ）、図１１（ａ）の表示から、画像４３１〜４３４の縦横を入れ替え、図１０（ｂ）、図１１（ｂ）のように表示させる。このとき、画像処理部７は、画像４３１〜４３４の縦横を入れ替え、縦横入れ替え処理後の画像データを表示部４３へ送る。
【００６９】
Ｓ３１２では、スタートキー３６が押下されたか否か判断する。この判断が「ＹＥＳ」の場合はＳ３１３に移り、「ＮＯ」の場合にはＳ３０６に移る。
【００７０】
Ｓ３１３では、画像処理部７に、画像蓄積部４に蓄積された画像データの表示位置をＳ３０７又はＳ３０９又はＳ３１１で表示変更したときと同様に更新させ、更新後の画像データを印刷部２に送らせる。
【００７１】
最後に、制御部５は、印刷部２に、送られた画像データにより用紙に画像を印刷させる（Ｓ３１４）。例えば、図１０（ｂ）、図１１（ｂ）に示すように画像４３１〜４３４が印刷される。
【００７２】
このような本発明の第２の実施形態に係る画像形成装置８０によれば、制御部５、記憶部６、画像処理部７、等が、読取部１で読み取られた画像を縮小し、複数の画像４３１〜４３４を集約して１枚の用紙に印刷させることにより、多様な画像形成が可能となり、かつ紙資源を有効利用できるという効果も得られる。これは、請求項３に係る発明の実施の一形態である。
【００７３】
また、本実施形態によれば、確認キー４１及び縦横入替キー４３７の操作で、複数の画像４３１〜４３４の縦横（画像の向きに相当する）を変更するよう指示し、制御部５、画像処理部７、等が、確認キー４１及び縦横入替キー４３７による変更指示により表示部４３に複数の画像の縦横を変更表示させ、かつ印刷部２に変更表示に応じて複数の画像を集約して１枚の用紙に印刷させることにより、集約対象の縦書き原稿又は横書き原稿のセット方向が間違っていた場合でも、縦横入替キーの操作によって縦横方向を適宜修正できるという効果も得られる。また、集約機能によって印刷するとき、用紙を無駄にすることを回避できるという効果も得られる。これは、請求項４に係る発明の実施の一形態である。
【００７４】
なお、上述した実施形態では集約表示された画像の縦横を入れ替えるとき、縦横入替キー４３７を用いた場合について説明したが、本発明はこのほかに、集約順番を所定の順番に入れ替えるための「順番変更キー」等を用いても同様の効果が得られるものである。この順番変更キーを用いた表示変更の例を図１３に示す。図１３（ａ）に示す画面は、複数の原稿の読み取り後に確認キー４１が押下されたとき、表示部４３に当該画像４３１〜４３４を予め設定された位置に集約して表示したものである。このとき、画像４３１〜４３４と共に、画像の順番を入れ替えるための入替キー４３５と、画像を１８０度回転させて位相をずらすための回転キー４３６と、上述した機能を有する順番変更キー４３８と、が表示される。一方、タッチパネル上で、入替キー４３５、回転キー４３６、順番変更キー４３８の表示位置には、これと同様の大きさのキーが、タッチパネルキー４０として設けられている。これに対し、図１３（ｂ）に示す画面は、図１３（ａ）に示す画面上で、ユーザが順番変更キー４３８を操作することにより、画像４３１〜４３４の集約順番を図１４（ｂ）に示す順番に変更したものである。ここで、集約表示された画像の位置を変更するときの「所定の順番」を複数種類設け、ユーザ等の操作によって選択するようにしてもよい。例えば、図１４（ａ）、図１４（ｂ）に示す順番に変更可能とし、双方の順番を表示部４３に表示してタッチパネルキー４０等の操作で選択するようにしてもよい。あるいは、上記の「入替キー」、「回転キー」、「縦横入替キー」、「順番変更キー」を全て設けてもよい。これは、請求項４に係る発明の実施の一形態である。
【００７５】
また、上述した実施形態では４枚の原稿の画像を読み取り、１枚の用紙に集約して印刷する場合について説明したが、本発明はこれに限らず、２枚あるいは８枚の原稿の画像を読み取り、読み取り順又は１枚の用紙に集約して印刷するようにしても同様の効果が得られるものである。さらに、集約された用紙を複数枚印刷するようにしても同様の効果が得られるものである。
【００７６】
また、上述した実施形態では縦書き原稿又は横書き原稿を４枚読み取り、１枚の用紙に集約して印刷する場合について説明したが、本発明はこのほかに、縦書き原稿と横書き原稿が混在し、かつ集約された用紙を複数枚印刷する場合、指示された集約頁のみ縦横を入れ替えるようにしても同様の効果が得られるものである。さらに、順番変更キー４３８を用いる場合についても、上述したほかに、縦書き原稿と横書き原稿が混在し、かつ集約された用紙を複数枚印刷する場合、指示された集約頁のみ集約順番を変更するようにしても同様の効果が得られるものである。
【産業上の利用可能性】
【００７７】
以上のように、本発明に係る画像形成装置は、表示手段（「操作表示部」に相当する）で読み取り順に表示された複数の画像の一部又は全部の表示位置を変更するよう指示する変更指示手段（「操作表示部」に相当する）と、変更指示手段の変更指示により表示手段に画像の表示位置を変更表示させ、かつ印刷手段（「印刷部」に相当する）に変更表示に応じて複数の画像を印刷させるよう制御する制御手段（「制御部」、「記憶部」、「画像処理部」等に相当する）と、を設けることにより、画像を読み取って用紙に出力する前に、表示画像の変更によって出力順番を変更できるという効果を有し、読み取った画像を表示する機能を有する画像形成装置等として有用である。
【図面の簡単な説明】
【００７８】
【図１】本発明の第１の実施形態に係る画像形成装置の構成を示すブロック図である。
【図２】本発明の第１の実施形態に係る画像形成装置の構成を示す断面図である。
【図３】本発明の第１の実施形態に係る操作表示部の外観を示す図である。
【図４】本発明の第１の実施形態に係る画面表示例（初期画面）を示す図である。
【図５】本発明の第１の実施形態に係る画面表示例（出力順確認画面）を示す図である。
【図６】本発明の第１の実施形態に係る画像形成方法を示すフローチャートである。
【図７】本発明の第２の実施形態に係る画面表示例（出力順確認画面）を示す図である。
【図８】本発明の第２の実施形態に係る画面表示例（集約順確認画面）を示す図である。
【図９】本発明の第２の実施形態に係る画像形成方法を示すフローチャートである。
【図１０】本発明の第３の実施形態に係る画面表示例（横書き原稿の集約順確認画面）を示す図である。
【図１１】本発明の第３の実施形態に係る画面表示例（縦書き原稿の集約順確認画面）を示す図である。
【図１２】本発明の第３の実施形態に係る画像形成方法を示すフローチャートである。
【図１３】本発明の第３の実施形態に係る他の画面表示例（集約順確認画面）を示す図である。
【図１４】本発明の第３の実施形態に係る他の画面表示例（変更順選択画面）を示す図である。
【符号の説明】
【００７９】
１  読取部（「読取手段」に相当する）
２  印刷部（「印刷手段」に相当する）
３  操作表示部（「表示手段」、「変更指示手段」に相当する）
４  画像蓄積部
５  制御部（「制御手段」に相当する）
６  記憶部（「制御手段」に相当する）
７  画像処理部（「制御手段」に相当する）
８  システムバス
８０  画像形成装置
【図１】
2005210443.tif 000003
【図２】
2005210443.tif 000004
【図３】
2005210443.tif 000005
【図４】
2005210443.tif 000006
【図５】
2005210443.tif 000007
【図６】
2005210443.tif 000008
【図７】
2005210443.tif 000009
【図８】
2005210443.tif 000010
【図９】
2005210443.tif 000011
【図１０】
2005210443.tif 000012
【図１１】
2005210443.tif 000013
【図１２】
2005210443.tif 000014
【図１３】
2005210443.tif 000015
【図１４】
2005210443.tif 000016